(57)【要約】【課題】容易にシートサイズを得ることができ、これにより操作性の向上を図ることにある。【解決手段】搬入されてきた用紙に対して所定の処理を施す折り処理装置において、用紙搬送方向に対して直交する方向に複数個並設された挿入用紙の幅方向の長さを検知する用紙サイズセンサと、シートサイズセンサによる検知結果から挿入シートの定形シートサイズを定形縦と定形横の２つのシートサイズに絞り込む絞り込み手段と、前記絞り込む手段によって絞り込まれた結果を操作部に表示する（ステップ４０９）表示手段と、前記表示手段に表示された結果からシートサイズを選択（ステップ４１０）する用紙サイズ選択キーと、を備え、前記用紙サイズ選択キーの選択結果に応じて用紙サイズを設定する。【選択図】図６
2007246228.tif 000002
【特許請求の範囲】
【請求項１】
搬入されてきたシートに対して所定の処理を施すシート処理装置において、
シート搬送方向に対して直交する方向に複数個並設された挿入用紙の幅方向の長さを検知する検知手段と、
前記検知手段による検知結果から挿入シートの定形シートサイズを定形縦と定形横の２つのシートサイズに絞り込む絞り込み手段と、
前記絞り込む手段によって絞り込まれた結果を操作部に表示する表示手段と、
前記表示手段に表示された結果からシートサイズを選択する選択手段と、
を備え、前記選択手段の選択結果に応じてシートサイズを設定することを特徴とするシート処理装置。
【請求項２】
シートの挿入方向について、「縦方向に固定」、「横方向に固定」及び「縦にも横にも固定しない」のいずれか１つを事前に設定する設定手段を備えていることを特徴とする請求項１記載のシート処理装置。
【請求項３】
前記設定手段により「縦にも横にも固定しない」と設定されたとき、シート搬送開始直後に一時停止期間を設け、その停止期間中に前記表示手段に前記シートサイズ選択のための表示を行うことを特徴とする請求項２記載のシート処理装置。
【請求項４】
前記設定可能なシートサイズとして不定形シートサイズも前記表示手段に表示することを特徴とする請求項２又は３記載のシート処理装置。
【請求項５】
前記選択手段により定形サイズ又は不定形サイズを選択すると、そのシートサイズで折ることが可能な折りのモードを前記表示手段に絞り込み表示することを特徴とする請求項４記載のシート処理装置。
【請求項６】
前記表示手段にシートサイズと折りモードによって一意に決定するシートの表題欄の挿入方向の確認を促す表示を行うことを特徴とする請求項５記載のシート処理装置。
【請求項７】
シートサイズと折りモードの選択前に挿入したシートの表題欄挿入方向が、前記表示手段に表示された確認を促された表題欄の挿入方向とは異なる場合、前記挿入され一時停止しているシートを機外へ排紙する排紙手段を備えていることを特徴とする請求項６記載のシート処理装置。
【請求項８】
表題欄の挿入方向の確認を促す表示を行う期間を変更する変更手段と、
前記変更によって変更した期間が経過したとき、挿入、搬送後、一時停止しているシートをシート挿入口側へ排紙する排紙手段と、
を備えていることを特徴とする請求項６記載のシート処理装置。
【請求項９】
前記一時停止しているシートの停止時間が予め設定された時間を経過した場合に、前記シートを所定の処理を行う側に搬送する搬送制御手段を備えていることを特徴とする請求項６記載のシート処理装置。
【請求項１０】
前記一時停止しているシートの停止時間が予め設定された時間を経過した場合に、前記シートを所定の処理を行う側に搬送するか、シート挿入口側へ排紙するかを選択する搬送方向選択手段を備えていることを特徴とする請求項６記載のシート処理装置。
【請求項１１】
挿入されるシートの定形サイズ表示をするか、表示せずに、選択可能な全定形サイズの中から、選択し、シートサイズ入力を行わせるかのモード選択を行うモード選択手段を備えていることを特徴とする請求項１記載のシート処理装置。
【請求項１２】
前記所定の処理が折り処理であることを特徴とする請求項１ないし１１のいずれか１項に記載のシート処理装置。
【請求項１３】
請求項１ないし１２のいずれか１項に記載のシート処理装置を備えていることを特徴とする画像形成装置。
【発明の詳細な説明】
【技術分野】
【０００１】
本発明は、用紙、記録紙、ＯＨＰシート、フィルムなどのシート状記録媒体（本明細書では、単に「シート」と称し、実施形態では、さらに具体的に「用紙」と称す。）のサイズ指定機能を有するシート処理装置、及びこのシート処理装置を備えた画像形成装置に関する。
【背景技術】
【０００２】
この種の技術として例えば特許文献１あるいは２に記載の発明が公知である。このうち特許文献１には、手差し給紙によるサイズの判らない用紙においても、サイズを入力することで、紙折り機能を使用できるようにした技術が記載されている。また、特許文献２には、給紙搬送路に対して横方向にセンサを複数個並べた多連センサで転写紙幅範囲を検出し、同じ幅範囲に複数のサイズが存在する場合は、転写紙長さを検出し、これらの検出値をＲＡＭに格納された転写紙サイズ毎のデータを比較して転写紙サイズを判断し、選択設定して前記サイズによりイレーサを制御する技術が記載されている。
【特許文献１】特開平１−１１７１７４号公報
【特許文献２】特開平４−２６４４６４号公報
【発明の開示】
【発明が解決しようとする課題】
【０００３】
前述のように特許文献１には、サイズ入力により紙折り機能を使用できるようにしているが、手差し給紙の用紙は、サイズを入力する必要があり、そのサイズ入力についてのミスの低減や簡素化することについては特に配慮されていない。
【０００４】
また、特許文献２には、多連センサを用紙の幅方向に設置する必要があり、コストも高くなる。また、同じ幅範囲に複数のサイズが存在する場合は、さらに転写紙長さを検出してサイズを決定しなければならず、効率も悪い。
【０００５】
本発明は、このような背景に鑑みてなされたもので、解決すべき課題は、容易にシートサイズを得ることができ、これにより操作性の向上を図ることにある。
【課題を解決するための手段】
【０００６】
前記課題を解決するため、第１の手段は、搬入されてきたシートに対して所定の処理を施すシート処理装置において、シート搬送方向に対して直交する方向に複数個並設された挿入シートの幅方向の長さを検知する検知手段と、前記検知手段による検知結果から挿入シートの定形シートサイズを定形縦と定形横の２つのシートサイズに絞り込む絞り込み手段と、前記絞り込む手段によって絞り込まれた結果を操作部に表示する表示手段と、前記表示手段に表示された結果からシートサイズを選択する選択手段と、を備え、前記選択手段の選択結果に応じてシートサイズを設定することを特徴とする。
【０００７】
第２の手段は、第１の手段において、シートの挿入方向について、「縦方向に固定」、「横方向に固定」及び「縦にも横にも固定しない」のいずれか１つを事前に設定する設定手段を備えていることを特徴とする。
【０００８】
第３の手段は、第２の手段において、前記設定手段により「縦にも横にも固定しない」と設定されたとき、シート搬送開始直後に一時停止期間を設け、その停止期間中に前記表示手段に前記シートサイズ選択のための表示を行うことを特徴とする。
【０００９】
第４の手段は、第２又は第３の手段おいて、前記設定可能なシートサイズとして不定形シートサイズも前記表示手段に表示することを特徴とする。
【００１０】
第５の手段は、第４の手段において、前記選択手段により定形サイズ又は不定形サイズを選択すると、そのシートサイズで折ることが可能な折りのモードを前記表示手段に絞り込み表示することを特徴とする。
【００１１】
第６の手段は、第５の手段において、前記表示手段にシートサイズと折りモードによって一意に決定するシートの表題欄の挿入方向の確認を促す表示を行うことを特徴とする。
【００１２】
第７の手段は、第６の手段において、シートサイズと折りモードの選択前に挿入したシートの表題欄挿入方向が、前記表示手段に表示された確認を促された表題欄の挿入方向とは異なる場合、前記挿入され一時停止しているシートを機外へ排紙する排紙手段を備えていることを特徴とする。
【００１３】
第８の手段は、第６の手段おいて、表題欄の挿入方向の確認を促す表示を行う期間を変更する変更手段と、前記変更によって変更した期間が経過したとき、挿入、搬送後、一時停止しているシートをシート挿入口側へ排紙する排紙手段とを備えていることを特徴とする。
【００１４】
第９の手段は、第６の手段において、前記一時停止しているシートの停止時間が予め設定された時間を経過した場合に、前記シートを所定の処理を行う側に搬送する搬送制御手段を備えていることを特徴とする。
【００１５】
第１０の手段は、第６の手段おいて、前記一時停止しているシートの停止時間が予め設定された時間を経過した場合に、前記シートを所定の処理を行う側に搬送するか、シート挿入口側へ排紙するかを選択する搬送方向選択手段を備えていることを特徴とする。
【００１６】
第１１の手段は、第１の手段において、挿入されるシートの定形サイズ表示をするか、表示せずに、選択可能な全定形サイズの中から、選択し、シートサイズ入力を行わせるかのモード選択を行うモード選択手段を備えていることを特徴とする。
【００１７】
第１２の手段は、第１ないし第１１のいずれかの手段において、前記所定の処理が折り処理であることを特徴とする。
【００１８】
第１３の手段は、第１ないし第１２の手段に係るシート処理装置を画像形成装置が備えていることを特徴とする。
【００１９】
なお、後述の実施形態では、検知手段は用紙サイズセンサ１４に、絞り込み手段、設定手段、変更手段、搬送制御手段は後処理装置制御手段３２０に、表示手段は表示部２０に、選択手段は用紙サイズ選択キー６０２に、排紙手段は搬送ローラ対１３に、搬送方向選択手段は後処理装置制御手段３２０、スタートキー６０３及びストップキー６０４に、モード選択手段はモード選択キー６０７及び後処理装置制御手段３２０に、シート処理装置は紙折り装置１に、画像形成装置が符号２００にそれぞれ対応する。
【発明の効果】
【００２０】
本発明によれば、検知手段による検知結果から挿入シートの定形シートサイズを定形縦と定形横の２つのシートサイズに絞り込み、絞り込まれた結果を操作部に表示し、その表示結果からシートサイズを選択するので、容易にシートサイズを得ることができ、その後の操作が簡単となり、操作性が向上する。
【発明を実施するための最良の形態】
【００２１】
以下、図面を参照し、本発明の最良の実施形態について説明する。
【００２２】
図１は本発明の実施形態に係る画像形成システムの全体構成を概略的に示す図、図２は紙折り装置の背面図、図３は本発明の手差し部を図２の上方向から見た平面図である。
【００２３】
図１において、画像形成装置２００の背面側に紙折り装置１が接続されており、画像形成装置２００は所望の画像を複写し、画像が複写されたシート（以下、「用紙」と称す。）を紙折り装置１に搬送すると共に、コピー用紙の送出と同時に紙折り装置１にシリアルケーブルを介してコピー用紙サイズ、及び紙折り方式、各種紙折りモード条件などを送出する。画像形成装置２００からのこれらの情報に従って紙折り装置１は自動的に搬入されたコピー用紙の折り込みを行い得るように構成されている。
【００２４】
画像形成装置２００には、幅の広いロール紙が収容されており、原稿のサイズ情報及び用紙のサイズカット情報によって、ロール紙を切断し、感光ドラムなどの画像転写部を通すことによって画像の転写を行い、定着装置２１０により転写された画像を定着して、大サイズのコピーを作成するようになっている。ロール紙はトレーシングペーパーやフィルムシートや任意の種類の用紙をロール状にした物が使用され、複数本のロール紙が装着可能になっている。図示していないが、ロール紙からの用紙引き出し部と画像転写部との間に用紙カット手段などを設けて、原稿のサイズ検知などによって得られた用紙サイズに従ってロール紙からの用紙の切断と複写の動作とを自動的に行うように構成されている。
【００２５】
紙折り装置１は画像形成装置２００で画像が転写された用紙を搬入する（オンライン）第１の用紙搬入口としての連結部２、用紙先端の端面（耳）を折る端面（耳）折り部３、用紙を搬送方向にジャバラ状に折るジャバラ折り部４、ジャバラ状に折られた用紙の搬送方向を切り換える搬送切換部５、搬送方向を切り換えた用紙を折るクロス折り部６、クロス折り部６でＡ４の大きさに折られた用紙を表裏反転させる反転部７、さらに用紙を回転する回転部８、及びトレイ９から構成されている。
【００２６】
また、紙折り装置１は第２の用紙搬入口としての手差し台１２を構成する手差し部１１を有し、用紙を画像形成装置本体２００に通さずに（オフライン）挿入できるように構成されている。さらに、画像形成装置２００で画像が転写された用紙を搬入し、折り込むオンライン操作は操作部２２０から行われるが、その操作部２２０は画像形成装置２００の上部に設けられている。
【００２７】
また、紙折り装置１の手差し部１１により用紙を画像処理装置２００に通さず用紙を折るオフライン操作は紙折り装置１に構成された操作部２０により行う。
【００２８】
なお、画像形成装置２００は本実施形態では電子写真方式のものが採用されているが、電子写真方式の画像形成装置に代えて、インクジェット、熱転写その他公知の画像形成装置を採用することもできる。
【００２９】
図４は、本実施形態に係る画像形成装置と紙折り装置からなる画像形成システム３００の電気的構成を示すブロック図である。  
画像形成システム３００は、公知の電子写真方式で任意の用紙上に画像を形成する画像形成装置３３０と、画像形成装置３３０から排出される用紙に対して任意選択可能に折り処理を行う後処理装置（紙折り装置）３１０とからなる。このうち、画像形成装置３３０は、画像形成装置制御手段３４０を核として、シリアル通信手段３３１、操作部制御手段３３２、読み取り制御手段３３３、書き込み制御手段３３４、給紙搬送手段３３５、画像形成手段３３６、定着制御手段３３７、メモリ制御手段３３８を備えている。また、後処理装置３１０は、後処理装置制御手段３２０を核として、操作部制御手段３１１、ジャバラ折り制御手段３１２、クロス折り制御手段３１３、搬送切換制御手段３１４、シリアル通信手段３１５、耳（端面）折り／パンチ制御手段３１６、反転／回転制御手段３１７、用紙サイズ判別手段３１８を備えている。画像形成装置３３０と後処理装置（紙折り装置）３１０とは、それぞれシリアル通信ユニット３１５、３３１を備え、これらシリアル通信ユニット間をそれぞれシリアルケーブル３５０により接続し、情報の授受が行われる。
【００３０】
この実施形態においては、画像形成装置３３０から後処理装置（紙折り装置）３１０に出力される情報として、例えば、用紙サイズ、紙折り方式、スタンプ有り無し、スタンプ位置、綴じ代、縦横紙折り補正値、紙折り実行有無などがあり、紙折り装置からの情報としては紙折り装置内でのジャム信号、エラー情報、折りカウント情報等がある。
【００３１】
図５は用紙サイズと折りの種類を示す説明図である。画像形成装置２００で画像が転写された用紙を紙折り装置１に搬入して折り処理を施すオンライン操作では、図５に示すような用紙に対して折り処理を行う。このときの動作は次のようになる。  
まず、画像形成装置２００に設けられた操作部２２０を紙折り設定画面にしてコピー用紙のサイズを決めた後、そのコピー用紙サイズでの可能な紙折りの種類等を設定する。紙折り装置では、図５にあるようにＡ０縦（５０１）、Ａ１縦（５０２）、Ａ１横（５０３）、Ａ２縦（５０４）、Ａ２横（５０５）、Ａ３縦（５０６）、Ａ３横（５０７）、Ａ４縦（５０８）、Ａ４横（５０９）等の複数の用紙を扱うことが可能である。そして、Ａ０縦、Ａ１縦、Ａ１横、Ａ２縦、Ａ２横、Ａ３縦、Ａ３横には、それぞれ、基本折り（５３１）、袋折り（５３２）、ファイル折り（５３３）、クロス折り（５３４）等の様に数種類の折り方式の選択が可能となっている。これらの折り方式は、用紙の搬送方向に対して垂直にジャバラ状に折り込み、用紙サイズによっては、さらに、ジャバラ状の折りと垂直な方向（クロス状）にも折る。この定形サイズの用紙の折り方式を「定形折りモード（５３０）」と称することとする。これとは別に、用紙をジャバラ状にのみ折り込む折り方式を「長尺折りモード（５４０）」と称することとする。この長尺折りモード５４０は、用紙をジャバラ状に１４０ｍｍ幅（５４１）、１７０ｍｍ幅（５４２）、１７４ｍｍ幅（５４３）、２１０ｍｍ幅（５４４）、２９７ｍｍ（５４５）幅等に折り込むだけであるため、対応可能な用紙サイズは、定形サイズ以外に、不定形サイズの用紙についても対応が可能である。
【００３２】
画像形成装置２００の上部には画像読取装置２０５が設けられ、その下部に手差し給紙台２０８が配置されている。この手差し給紙台２０８に用紙をセットすると、用紙はレジストローラ２０７により一旦停止され、感光体上に形成された画像とタイミングをとって作像ユニット２０６に供給される。作像ユニット２０６は、前にも触れたが、感光体表面に画像データに対応した潜像が形成され、この潜像がトナーにより現像され、このトナーが用紙に転写され、定着装置２１０により定着されるいわゆる電子写真方式の作像プロセスのものである。定着装置２１０によってトナーが定着された記録済用紙は記録済用紙排出ロール２１１により、紙折りを行う場合は紙折り機能付き後処理装置１へ排出される。また、紙折りを行わない場合は、図示されていない切換爪により上排紙ローラ２０９により本体胴内へ排出される。
【００３３】
前述のように用紙を折る場合は記録済用紙排出ロール２１１により紙折り機能付き後処理装置１に用紙は送られる。用紙は連結部２を通り、端面折り部３に用紙が送られ、用紙端面を折る場合は端面折り部３により用紙先端の端面を折られる。このとき用紙は搬送されながら用紙端面（いわゆる耳の部分）が折られる。端面折り部３により用紙先端の端面が折られた後、用紙はジャバラ折り部４により搬送方向にジャバラ状に折られ、搬送切換部５に送られる。搬送切換部５に送られたジャバラ状に折られた用紙はスキュー補正を行い（図１のＡ方向矢視図である図２参照）、パンチがある場合はジャバラ状に折られた用紙を穿孔し、クロス折り部６に用紙を送る。クロス折り部６に送られたジャバラ状に折られた用紙はジャバラ折りとは直交する方向に再度ジャバラ状に折り、Ａ４サイズの大きさに折り込む。
【００３４】
Ａ４サイズに折られた用紙はトレイ９に排出したときに転写面が下になるように、折り種類によっては用紙を反転部７により反転し、さらに、トレイ９に排出したときに図面の向きが揃う様に折り種類で用紙が図面等向き同一になるように回転部８にて左右９０°回転し、トレイ９に排出する。
【００３５】
紙折り装置１の手差し部１１から用紙を挿入して画像形成装置２００を通さずに用紙を折るオフライン操作による動作を図２、図３、図６を参照して説明する。なお、この制御は後処理装置制御手段３２０内に設けられた制御回路の図示しないＣＰＵによって実行される。このＣＰＵは図示しないＲＡＭに格納されたプログラムコードを読み出し、図示しないＲＡＭに展開して前記プログラムを実行する。
【００３６】
図３に示すように手差し台１２には５個の用紙サイズセンサＳ０，Ｓ１，Ｓ２，Ｓ３，Ｓ４が用紙の幅方向（用紙搬送方向に対して直交する方向）に設置され、それぞれＳ０はＡＯＴサイズ、Ｓ１はＡ１Ｔ及びＡ２Ｙ、Ｓ２はＡ２Ｔ及びＡ３Ｔ、Ｓ３はＡ３Ｔ及びＡ４Ｙ、Ｓ４はＡ４Ｔ（ただし、Ｔは縦、Ｙは横をそれぞれ示す）の用紙の端部を検出できる位置に設けられている。具体的には、図７に示すように、８４１ｍｍ幅、５９４ｍｍ幅、４２０ｍｍ幅、２９７ｍｍ幅、２１０ｍｍ幅の各Ａ列定形サイズの用紙幅を認知できる位置である。
【００３７】
手差し部１１のサイドフェンス１５は用紙Ｐの幅に合わせ用紙を真っ直ぐ手差し搬送ローラ対１３に挿入するためのガイドである。従って、サイドフェンス１５は用紙幅方向に移動可能な構成になっている。その際、一方を調整すれば他方も追従するように互いに同期して近接離反動作が行われる。また、手差し入り口付近には手差し搬送ローラ対１３が設けられ、手差し搬送ローラ対１３の上流側近傍に前記用紙サイズセンサ１４が配置されている。この用紙サイズセンサ１４は図３様に、用紙搬送方向とは垂直な方向に複数個、各用紙サイズ幅の端面内側にサイズ幅に応じてＳ０〜Ｓ４まで配置されている。
【００３８】
このような手差し台１２から用紙Ｐを搬入する場合には、まず、折る用紙Ｐの幅に図２及び図３のサイドフェンス１５を合わせ、用紙Ｐを手差し台１２にセットし、用紙Ｐを図１の矢印方向に挿入する。用紙Ｐはセンター基準で挿入されるため、いかなるサイズの用紙Ｐであっても用紙サイズセンサ１４のＳ４がＯＮとなる（ステップ４０１）。また、これをトリガに用紙サイズの判別が開始となる（ステップ４０２）。用紙サイズセンサ１４により用紙Ｐを検知し、搬送ローラ対１３への用紙先端部の突き当て時間が一定時間を経過（ステップ４０３）すると、搬送モータが駆動を開始し（ステップ４０４）、同時に手差し搬送ローラに設置されている入口ローラクラッチがＯＮとなる（ステップ４０５）。これにより、手差し搬送ローラ対１３が回転を始める。
【００３９】
搬送ローラ対１３は、一定距離の駆動後（数十ミリメートル）用紙Ｐを搬送したところで停止する（ステップ４０６、４０７、４０８）。これより、用紙Ｐの先端部分は搬送ローラ対１３にくわえた状態で停止する。また、用紙サイズセンサ１４がＯＮになることから用紙サイズが判明するので、操作部２２０に用紙サイズ情報を表示し（ステップ４０９）、用紙サイズと折りモードを設定する（ステップ４１０）。用紙先端が搬送ローラ対１３にくわえられると、操作者は用紙Ｐから手を離しても紙折り装置１から用紙が落下することはない。この状態で、さらに一定時間が経過（ステップ４１１）すると搬送モータが高速で駆動を開始し（ステップ４１２）、さらに入口ローラクラッチがＯＮ（４１３）して、搬送ローラ対１３は、再起動し、用紙を紙折り装置内部へ搬送する。
【００４０】
以降はオンライン操作と同様である。
【００４１】
本実施形態では、用紙サイズセンサ１４による検知結果から挿入用紙Ｐの定形用紙サイズを定形縦と定形横の２つの用紙サイズに絞り込み、絞り込み結果を操作部２２０に表示し、その中から用紙サイズを選択、設定することができる。図８はこのような用紙寸法の判定手順を示すフローチャート、図９は用紙サイズの判定手順を示すフローチャートである。すなわち、用紙サイズセンサ１４の検知出力の組み合わせにより用紙寸法を求め、さらに用紙サイズを求めることができる。
【００４２】
例えば、図３に示す手差し台１２から用紙Ｐを挿入したとき、Ｓ１〜Ｓ４までの用紙サイズセンサ１４がＯＮし、Ｓ０がＯＦＦであった場合、図５のフローチャートの処理に基づいて用紙サイズ判別手段にて、用紙挿入幅を５９４ｍｍと判断する（ステップ４５３、４５４）。さらに図９で用紙挿入幅が５９４ｍｍであることから（ステップ４８３）、用紙サイズは、Ａ１縦あるいはＡ２横であると判断する（ステップ４８４）。
【００４３】
同様に、用紙幅サイズ８４１ｍｍを紙折り装置が認識した場合（ステップ４５１，４５２−ステップ４８１）、用紙の定形サイズはＡ０縦あるいはＡ１横である（ステップ４８２）。同様に、用紙幅サイズ４２０ｍｍを紙折り装置が認識した場合（ステップ４５１，４５３，４５５−ステップ４８５）、用紙の定形サイズは、Ａ２縦あるいはＡ３横となる（ステップ４８６）。同様に、用紙幅サイズ２９７ｍｍを紙折り装置が認識した場合（ステップ４５１，４５３，４５５，４５７，４５８−ステップ４８７）、用紙の定形サイズは、Ａ３縦あるいはＡ４横となる（ステップ４８８）。用紙幅サイズが２９７ｍｍ以下の場合は（ステップ４５１，４５３，４５５、４５７，４５９）、用紙の定形サイズをＡ４縦とする（ステップ４８９）。
【００４４】
そこで、紙折り機能付き後処理装置は、図５に示すように用紙挿入で認識した用紙サイズに基づいて選択可能な全用紙サイズ９種類（５０１〜５０９）の中から１つを選択するのではなく、定形縦サイズと定形横サイズの２つに絞り込まれた用紙サイズの中から該当する用紙サイズを選ぶことができるようにする。図５の例では、挿入された用紙の幅が５９４ｍｍであ留時には、Ａ１縦あるいは、Ａ２横と用紙サイズが絞り込まれる（５０２ａ、５０５ａ）ことが示されている。絞り込まれた用紙サイズは、紙折り機能付き後処理装置の操作部２０に表示される。図１０は図１に示した操作部２０の正面図で、前記用紙サイズは操作部２０の用紙サイズ表示部６０１へ表示される。また、用紙サイズ選択キー６０２を押下することによりＡ１縦（５０２ａ）とＡ２横（５０５ａ）が交互に表示される。
【００４５】
さらに、本実施形態では、予め用紙挿入前に、用紙サイズ自動認識設定手段で、用紙挿入サイズを「縦サイズに固定する。」、「横サイズに固定する。」あるいは「縦サイズにも横サイズにも固定にしない。」と３パターンの設定をしておく。これにより、例えば、用紙サイズ自動認識設定で、「縦サイズに固定する。」と設定し、図３に示した手差し台１２から用紙を挿入したとき、Ｓ１〜Ｓ４までの用紙サイズセンサ１４がＯＮし、Ｓ０がＯＦＦであった場合、装置は用紙挿入幅を５９４ｍｍと判断し（ステップ４５４）、さらに挿入用紙の用紙サイズを「Ａ１縦」に決定する。この場合、紙折り機能付き操作部２０の用紙サイズ表示部６０１は、Ａ１縦（５０２ａ）を表示し、用紙サイズ選択キー６０２を押下しても、用紙サイズ表示部６０１の表示は、変化しないように設定にする。
【００４６】
さらに、本実施形態では、用紙サイズの選択期間を用紙Ｐのくわえ込み一時停止期間中に、紙折り装置１に構成された操作部２０に、用紙挿入により判別した用紙の幅方向の長さを元に、絞り込んだ定形縦サイズと定形横サイズの２つの定形用紙サイズと、その折りの種類等を表示し（ステップ４０９）、用紙サイズの設定が可能（ステップ４１０）となる。その後、操作部２０にあるスタートキー６０３を押すと、手差し搬送ローラ対１３が再度回転し、用紙Ｐが矢印方向に搬送され、端面折り部３に用紙が送られ、折り動作が開始される。
【００４７】
さらに、本実施形態では、用紙を挿入した時点で、用紙の幅方向の長さを元に、絞り込んだ定形縦サイズと定形横サイズの２つの定形用紙サイズから選択するとしていたが、この選択肢の中に、不定形サイズ（５１０）も選択することができる。例えば、用紙サイズが、横長さ５００ｍｍ、縦長さ８００ｍｍの様な用紙をジャバラ折り：２１０ｍｍ幅で折り込む場合、紙折り装置は、この用紙が挿入された時点で、Ａ２縦あるいはＡ３横の選択を促す。しかし、上記の様な不定形サイズは、装置が絞り込んだいずれの定形サイズにも該当しない。そこで、用紙サイズの選択肢を「定形サイズ：縦」「定形サイズ：横」「不定形サイズ」と３つの選択肢を用意し、不定形サイズの用紙を扱う場合は、「不定形サイズ」を選択してもらう。この場合、紙折り機能付き操作部２０の用紙サイズ表示部６０１は、Ａ１縦（５０２ａ）を表示し、次に用紙サイズ選択キー６０２を押下するとＡ２横（５０５ａ）を表示する。さらに、用紙サイズ選択キー６０２を押下すると不定形サイズを示す「――――」表示を表示する。以降、用紙サイズ選択キー６０２を押下する毎に、定形縦、定形横、不定形サイズをトグルで表示する。
【００４８】
さらに、本実施形態では、用紙サイズを選択するとその用紙サイズに該当する折りモード（５３０、５４０）のみを選択できるようにしている。例えば、図１０に示した操作部２０において、用紙サイズをＡ１縦の定形サイズと選択した場合は、折りモード表示部６０５には、図１１で示される折りコードの１〜４に該当する「定形折りモード（５３０）」と同じく図１１の折りコード１０〜１４に該当する「ジャバラ折りモード（５４０）」の両方を選択可能とするが、不定形サイズを選択した場合は、折りコード１０〜１４に該当する「ジャバラ折りモード（５４０）」のみ選択が可能となる。
【００４９】
図１２は表題欄が設けられている用紙についての処理手順を示すフローチャートである。表題欄が設けられた用紙の処理は図６に示したオフライン操作の場合のステップＳ４１１に代えてステップ４３１、４３５−４３９としたもので、図１２におけるステップ４２１からステップ４３０までの処理は、図６におけるステップ４０１からステップ４１０までの処理を同一であり、ステップ４３２及び４３３の処理はステップ４１２及び４１３と同一である。この前提で表題欄が設けられている用紙についての処理について説明する。
【００５０】
すなわち、用紙サイズを選択し、さらに折りモードを選択すると、紙折り装置１に挿入する用紙Ｐに対して表題欄の挿入方向が決定する。挿入用紙Ｐの表題欄の挿入方向は、用紙挿入方向の前方にするか、あるいは後方とするかのどちらかとなる。また、表題欄の挿入方向は、用紙サイズと折りモードの組み合わせによって決定する。よって、用紙挿入後の用紙の一時停止期間中に、用紙サイズ洗濯機６０２及びモード選択キー６０７から用紙サイズ及び折りモードを選択すると（ステップ４３０）、該当する用紙サイズと折りモードの組み合わせにより、表題欄の挿入方向が決定する。そこで、既に、紙折り装置１に挿入し、一時停止している用紙の表題欄の方向と、用紙サイズ、折りモードの組み合わせにより決定した表題欄の挿入方向とが一致しているかどうかの確認を促す表示（挿入方向確認表示）６０６を操作部２０に表示する。
【００５１】
これにより、既に挿入している用紙Ｐの表題欄位置が、操作部２０上に示された表題欄の挿入方向と異なる場合は、ストップキー６０４等のキーを押下する（ステップ４３１，４３４）ことによって、搬送ローラ対１３を逆転駆動させ（ステップ４３５）、用紙挿入口へ搬送させる（ステップ４３６，４３７，４３８，４３９）。また、表題欄挿入方向の確認の一定時間を経過しても、スタートキー６０３やストップキー６０４の操作がない場合は、ストップキー６０４が押下されたとき（ステップ４３５−Ｙｅｓ）と同様に、搬送ローラ対１３を逆転駆動させ、用紙挿入口へ搬送させる（ステップ４３５，４３６，４３７，４３８，４３９）。
【００５２】
逆に、表題欄挿入方向の確認の一定時間を経過しても、スタートキー６０３やストップキー６０４の操作がない場合には（ステップ４３１−Ｎｏ，４３４−Ｎｏ）、スタートキー６０３が押下されたときと同様に、搬送ローラ対１３を正転駆動させ（ステップ４３２）、用紙を装置内部に取り込み（ステップ４３３）、既に設定してあった折りモードで用紙を折り上げる。
【００５３】
さらに、表題欄挿入方向の確認の一定時間を経過しても、スタートキー６０３やストップキー６０４の操作がない場合の紙折り機能付き後処理装置の動作をストップキー６０４が押下されたように動作させるか、あるいは、スタートキー６０３が押下されたように動作させるかの選択を設定できるようにしておく。これより、ストップキー６０４と同等の動作の場合は、ストップキー６０４が押下されたとき（ステップ４３４−Ｙｅｓ）と同様に、搬送ローラ対１３を逆転駆動させ、用紙挿入口へ搬送させる（ステップ４３５，４３６，４３７，４３８，４３９）。また、スタートキー６０３と同等の設定の場合（ステップ４３１−Ｙｅｓ）は、搬送ローラ対１３を正転駆動させ、用紙を装置内部に取り込み（ステップ４３２，４３３）、既に設定してあった折りモードで用紙を折り上げる。
【００５４】
さらに、本実施形態では、サイズの自動検知を行わないように設定することも可能であり、この場合は、用紙挿入前に用紙サイズと折りモードを選択し、用紙を挿入させる。
【００５５】
以上のように本実施形態によれば、以下のような効果を奏する。  
１）検知手段による検知結果から挿入用紙の定形用紙サイズを定形縦と定形横の２つの用紙サイズに絞り込んでいるため、用紙サイズの入力ミスを低減させることができる。
【００５６】
２）用紙の挿入方向を事前に、縦方向に固定、横方向に固定、あるいは、縦にも横にも固定しない、と設定することができるので、用紙の挿入時に用紙サイズが確定し、用紙サイズの入力ミスをなくすことができる。
【００５７】
３）縦にも横にも固定しない設定において、用紙のサイズシート搬送開始直後に一時停止期間を設け、その停止期間中に用紙サイズを選択、設定するので、用紙の一時停止により、用紙の挿入と用紙サイズの入力が時分割され、操作性の向上を図ることができる。
【００５８】
４）定形縦と定形横以外に、不定形の用紙サイズも操作部に表示し、選択及び設定が可能なので、扱える用紙サイズが増え、操作性の向上を図ることができる。
【００５９】
５）用紙サイズの決定後に、可能な折りモードを絞り込み表示しているので、折りモードの入力ミスを低減させることができる。
【００６０】
６）用紙の挿入後に選択した用紙サイズと折りモードから決定する表題欄の挿入方向を折り処理の前に確認することができるので、折りのミスを低減させることができる。
【００６１】
７）用紙の挿入後に選択した用紙サイズと折りモードから決定する表題欄の挿入方向が、既に紙折り装置へ挿入してしまった用紙の表題欄位置と異なる場合であっても、折りを開始する前に、用紙を取り出せるため、無駄な折りのミスを未然に防止することが可能となる。
【００６２】
８）表題欄の確認表示後の操作が一切行われない状況になっても、挿入された用紙を自動的に機外に排出するので、次の操作に対する影響を排除することができる。
【００６３】
９）表題欄の確認表示後の操作が一切行われない状況になっても、挿入された用紙を自動で折り排出するため、確認表示後の開始トリガ操作に対する操作忘れがあった場合であっても、自動で折りが完結し、操作ミスに対するリカバリを行うことができる。
【００６４】
１０）表題欄の確認期間である一定時間放置した後の装置の動作を選択可能としたので、操作性の向上を図ることができる。
【００６５】
１１）挿入用紙の定形サイズ表示をするか、表示せずに、選択可能な全定形サイズの中から、選択し、用紙サイズ入力を行わせるかのモード選択が可能なので、用紙サイズの入力方法の選択肢が増え、操作性の向上を図ることができる。
【図面の簡単な説明】
【００６６】
【図１】本発明の実施形態に係る画像形成システムの全体構成を概略的に示す図である。
【図２】図１の画像形成システムにおける紙折り装置の背面図である。
【図３】本発明の手差し部を図２の上方向から見た平面図である。
【図４】本実施形態に係る画像形成装置システム３００の電気的構成を示すブロック図である。
【図５】用紙サイズと折りの種類を示す説明図である。
【図６】オフライン操作による処理手順を示すフローチャートである。
【図７】用紙サイズセンサとセンサの配置位置と用紙サイズとの関係を示す図である。
【図８】用紙寸法の判定手順を示すフローチャートである。
【図９】用紙サイズの判定手順を示すフローチャートである。
【図１０】図１に示した紙折り装置の操作部の正面図である。
【図１１】折りコードと折りモードとの関係を示す図である。
【図１２】表題欄が設けられている用紙についてのオフライン操作の処理手順を示すフローチャートである。
【符号の説明】
【００６７】
１，３１０  紙折り装置
３  端面（耳）折り部
４  ジャバラ折り部
５  搬送切換部
６  クロス折り部
７  反転部
８  回転部
９  トレイ
１１  手差し部
１２  手差し台
１３  搬送ローラ対
１４  用紙サイズセンサ
１５  サイドフェンス
２０  表示部
２００，３３０  画像形成装置
３００  画像形成システム
３２０  後処理装置制御手段
３４０  画像形成装置制御手段
６０１  用紙サイズ表示部
６０２  用紙サイズ選択キー
６０３  スタートキー
６０４  ストップキー
６０５  折りモード表示部
６０６  挿入方向確認表示
６０７  モード選択キー
【図１】
2007246228.tif 000003
【図２】
2007246228.tif 000004
【図３】
2007246228.tif 000005
【図４】
2007246228.tif 000006
【図５】
2007246228.tif 000007
【図６】
2007246228.tif 000008
【図７】
2007246228.tif 000009
【図８】
2007246228.tif 000010
【図９】
2007246228.tif 000011
【図１０】
2007246228.tif 000012
【図１１】
2007246228.tif 000013
【図１２】
2007246228.tif 000014